(57)【要約】【課題】ユーザが容易に文字列の入力操作を行うことができる写真シール作成装置を実現する。【手段】写真シール作成装置（１）は、写真を撮影して編集し、写真シールを出力するサービスを提供する写真シール作成装置であって、タッチパネル（１６１）と、表示制御部（２３１）と、ユーザを識別する文字列の入力操作を、ＵＩオブジェクトを介して受け付ける入力受付部（２３２）と、ＵＩオブジェクトが示す文字種を変更せずに、ＵＩオブジェクトのキー配列を切り替える入力操作を受け付ける指示受付部（２３３）とを備えている。【選択図】図１０
2020123146.tif 000002
【特許請求の範囲】
【請求項１】
写真を撮影して編集し、写真シールを出力するサービスを提供する写真シール作成装置であって、
タッチパネルと、
所定の文字種を示すＵＩオブジェクトを含む画面を、前記タッチパネルに表示させる表示制御部と、
ユーザを識別する文字列の入力操作を、前記ＵＩオブジェクトを介して受け付ける入力受付部と、
前記ＵＩオブジェクトが示す文字種を変更せずに、前記ＵＩオブジェクトのキー配列を切り替える入力操作を受け付ける指示受付部と
を備えることを特徴とする写真シール作成装置。
【請求項２】
前記指示受付部は、
前記ＵＩオブジェクトを含む画面内における任意の位置を起点としてスワイプする入力操作を、前記キー配列を切り替える入力操作として受け付ける
ことを特徴とする請求項１に記載の写真シール作成装置。
【請求項３】
前記表示制御部は、
複数の前記ＵＩオブジェクトを含む画面を、前記タッチパネルに同時に表示させ、
前記入力受付部は、
複数の前記ＵＩオブジェクトの一部または全部のそれぞれを介して、
互いに異なる複数のユーザを識別する複数の文字列の入力操作を受け付け、
前記指示受付部は、
複数の前記ＵＩオブジェクトの少なくとも何れかのキー配列を、他のＵＩオブジェクトのキー配列とは独立して切り替える入力操作を受け付ける
ことを特徴とする請求項１又は２に記載の写真シール作成装置。
【請求項４】
タッチパネルと、
所定の文字種を示す複数のＵＩオブジェクトであって、互いに異なるキー配列の複数のＵＩオブジェクトを含む画面を、前記タッチパネルに表示させる表示制御部と、
ユーザを識別する文字列の入力操作を、前記複数のＵＩオブジェクトを介して受け付ける入力受付部であって、前記複数のＵＩオブジェクトの何れから文字入力が行われても、一連の文字列として入力を受け付ける入力受付部と、
を備えることを特徴とする写真シール作成装置。
【請求項５】
前記ユーザを識別する文字列は、
当該ユーザが利用可能なメールアドレスであって、所定のサービスへのアクセスに使用されるＵＲＬが記載されたメールを受信可能なメールアドレスであり、
前記表示制御部は、
前記ＵＩオブジェクトを含む画面に、
前記ＵＩオブジェクトと前記ＵＲＬを示す情報を含む識別コードとを共に表示させる
ことを特徴とする請求項１から４までの何れか１項に記載の写真シール作成装置。
【請求項６】
前記ユーザを識別する文字列は、
当該ユーザが利用可能なメールアドレスであって、所定のサービスへのアクセスに使用されるＵＲＬが記載されたメールを受信可能なメールアドレスであり、
前記表示制御部は、
前記入力受付部が前記文字列の入力操作を受け付けた後に表示させる画面に、
前記ＵＲＬを示す情報を含む識別コードを表示させる
ことを特徴とする請求項１から４までの何れか１項に記載の写真シール作成装置。
【請求項７】
前記ユーザを識別する文字列は、
当該ユーザが利用可能なメールアドレスであって、所定のサービスへのアクセスに使用されるＵＲＬが記載されたメールを受信可能なメールアドレスであり、
前記表示制御部は、
前記入力受付部が前記文字列の入力操作を受け付けることに失敗したと判定された場合に、
前記ＵＲＬを示す情報を含む識別コードを画面に表示させる
ことを特徴とする請求項１から４までの何れか１項に記載の写真シール作成装置。
【請求項８】
写真を撮影して編集し、写真シールを出力するサービスを提供する写真シール作成装置によって実現されるキー配列の切り替え方法であって、
所定の文字種を示すＵＩオブジェクトを含む画面を、タッチパネルに表示させる表示ステップと、
ユーザを識別する文字列の入力操作を、前記ＵＩオブジェクトを介して受け付ける入力受付ステップと、
前記ＵＩオブジェクトが示す文字種を変更せずに、前記ＵＩオブジェクトのキー配列を切り替える入力操作を受け付ける指示受付ステップと
を含むことを特徴とする切り替え方法。
【請求項９】
請求項１に記載の写真シール作成装置としてコンピュータを機能させるための制御プログラムであって、上記表示制御部、上記入力受付部および上記指示受付部としてコンピュータを機能させるための制御プログラム。
【請求項１０】
請求項９に記載の制御プログラムを記録したコンピュータ読み取り可能な記録媒体。
【発明の詳細な説明】
【技術分野】
【０００１】
本発明は、被写体を撮影した撮影画像またはその編集画像である画像データを管理する写真管理サービスに係る写真シール作成装置などに関する。
【背景技術】
【０００２】
近年、写真シール作成装置において生成された撮影画像データをユーザに提供するサービスとして、写真の印刷されたプリントシールをユーザに提供するサービスと合わせて、ユーザの所有する携帯端末に撮影画像を表示させることによって画像をユーザに提供するサービスが広がってきている。
【０００３】
このようなサービスは、画像提供サイトにアクセスすることによって可能となる。画像提供サイトでは、写真シール作成装置にて撮影した撮影画像のうち、ユーザによって指定された画像を保存し、ユーザに閲覧可能としている。
【０００４】
また、このようなサービスにおいては、例えば、画像提供サイトのＵＲＬが記載されたメールを受信するためのメールアドレスを、写真シール作成装置に対して入力する工程が設けられ得る。特許文献１では、メールアドレス等の文字列の入力方法の一態様として、指一本であってもより少ない動作で短時間に文字入力を可能とする、所謂フリック入力による文字入力システムが開示されている。
【先行技術文献】
【特許文献】
【０００５】
【特許文献１】特開２０１２−７４０６５号公報（２０１２年４月１２日公開）
【発明の概要】
【発明が解決しようとする課題】
【０００６】
上述のような従来技術においては、タッチパネルに表示されたＵＩオブジェクトを介してメールアドレス等の文字列の入力が行われるわけであるが、文字列の入力の際における各ユーザが得意とするＵＩオブジェクトのキー配列は、通常、ユーザごとに異なる。したがって、表示されたキー配列にユーザが慣れていない場合、文字列の入力に手間取り得るという問題がある。
【０００７】
本発明の一態様は、上記の問題に鑑みてなされたものであり、その目的は、ユーザが容易に文字列の入力操作を行うことができる写真シール作成装置を実現することを目的とする。
【課題を解決するための手段】
【０００８】
上記の課題を解決するために、本発明の一態様に係る写真シール作成装置は、写真を撮影して編集し、写真シールを出力するサービスを提供する写真シール作成装置であって、タッチパネルと、所定の文字種を示すＵＩオブジェクトを含む画面を、前記タッチパネルに表示させる表示制御部と、ユーザを識別する文字列の入力操作を、前記ＵＩオブジェクトを介して受け付ける入力受付部と、前記ＵＩオブジェクトが示す文字種を変更せずに、前記ＵＩオブジェクトのキー配列を切り替える入力操作を受け付ける指示受付部とを備えている。前記の構成によれば、ユーザが容易に文字列の入力操作を行うことができる写真シール作成装置を実現できる。
【０００９】
本発明の一態様に係る写真シール作成装置では、前記指示受付部は、前記ＵＩオブジェクトを含む画面内における任意の位置を起点としてスワイプする入力操作を、前記キー配列を切り替える入力操作として受け付けてもよい。前記の構成によれば、ユーザは、キー配列を切り替える操作を行う場合に、ＵＩオブジェクトのキー配列を切り替えるボタン等を探さずともよい。
【００１０】
本発明の一態様に係る写真シール作成装置では、前記表示制御部は、複数の前記ＵＩオブジェクトを含む画面を、前記タッチパネルに同時に表示させ、前記入力受付部は、複数の前記ＵＩオブジェクトの一部または全部のそれぞれを介して、互いに異なる複数のユーザを識別する複数の文字列の入力操作を受け付け、前記指示受付部は、複数の前記ＵＩオブジェクトの少なくとも何れかのキー配列を、他のＵＩオブジェクトのキー配列とは独立して切り替える入力操作を受け付けてもよい。前記の構成によれば、複数人のユーザが容易に文字列の入力操作を並行して行うことができる写真シール作成装置を実現できる。
【００１１】
上記課題を解決するために、本発明の一態様に係る写真シール作成装置は、タッチパネルと、所定の文字種を示す複数のＵＩオブジェクトであって、互いに異なるキー配列の複数のＵＩオブジェクトを含む画面を、前記タッチパネルに表示させる表示制御部と、ユーザを識別する文字列の入力操作を、前記複数のＵＩオブジェクトを介して受け付ける入力受付部であって、前記複数のＵＩオブジェクトの何れから文字入力が行われても、一連の文字列として入力を受け付ける入力受付部と、を備えている。前記の構成よれば、ユーザが容易に文字列の入力操作を行うことができる写真シール作成装置を実現できる。
【００１２】
本発明の一態様に係る写真シール作成装置では、前記ユーザを識別する文字列は、当該ユーザが利用可能なメールアドレスであって、所定のサービスへのアクセスに使用されるＵＲＬが記載されたメールを受信可能なメールアドレスであり、前記表示制御部は、前記ＵＩオブジェクトを含む画面に、前記ＵＩオブジェクトと前記ＵＲＬを示す情報を含む識別コードとを共に表示させてもよい。前記の構成によれば、識別コードを介してユーザを所定のサービスに誘導できる。
【００１３】
本発明の一態様に係る写真シール作成装置では、前記ユーザを識別する文字列は、当該ユーザが利用可能なメールアドレスであって、所定のサービスへのアクセスに使用されるＵＲＬが記載されたメールを受信可能なメールアドレスであり、前記表示制御部は、前記入力受付部が前記文字列の入力操作を受け付けた後に表示させる画面に、前記ＵＲＬを示す情報を含む識別コードを表示させてもよい。前記の構成によれば、識別コードを介してユーザを所定のサービスに誘導できる。
【００１４】
本発明の一態様に係る写真シール作成装置では、前記ユーザを識別する文字列は、当該ユーザが利用可能なメールアドレスであって、所定のサービスへのアクセスに使用されるＵＲＬが記載されたメールを受信可能なメールアドレスであり、前記表示制御部は、前記入力受付部が前記文字列の入力操作を受け付けることに失敗したと判定された場合に、前記ＵＲＬを示す情報を含む識別コードを画面に表示させてもよい。前記の構成によれば、ユーザがメールアドレスの入力に失敗した場合においても、識別コードを介してユーザを所定のサービスに誘導できる。
【００１５】
上記の課題を解決するために、本発明の一態様における切り替え方法は、写真を撮影して編集し、写真シールを出力するサービスを提供する写真シール作成装置によって実現されるキー配列の切り替え方法であって、所定の文字種を示すＵＩオブジェクトを含む画面を、タッチパネルに表示させる表示ステップと、ユーザを識別する文字列の入力操作を、前記ＵＩオブジェクトを介して受け付ける入力受付ステップと、前記ＵＩオブジェクトが示す文字種を変更せずに、前記ＵＩオブジェクトのキー配列を切り替える入力操作を受け付ける指示受付ステップとを含んでいる。前記の方法によれば、ユーザが容易に文字列の入力操作を行うことができる。
【００１６】
本発明の各態様に係る写真シール作成装置は、コンピュータによって実現してもよく、この場合には、コンピュータを上記写真シール作成装置が備える各部（ソフトウェア要素）として動作させることにより上記写真シール作成装置をコンピュータにて実現させる写真シール作成装置の制御プログラム、およびそれを記録したコンピュータ読み取り可能な記録媒体も、本発明の範疇に入る。
【発明の効果】
【００１７】
本発明の一態様によれば、ユーザが容易に文字列の入力操作を行うことができる写真シール作成装置を実現できる。
【図面の簡単な説明】
【００１８】
【図１】本発明の実施形態に係る管理サーバの要部構成を示すブロック図である。
【図２】本発明の実施形態に係る撮影画像管理システムの構成を示す図である。
【図３】本発明の実施形態に係る写真シール作成装置の外観の構成例を示す斜視図である。
【図４】本発明の実施形態に係る写真シール作成装置の外観を他の角度からみた斜視図である。
【図５】本発明の実施形態におけるユーザの移動について説明する図である。
【図６】本発明の実施形態に係る写真シール作成装置に備えられる撮影部の構成例を示す図である。
【図７】本発明の実施形態に係る写真シール作成装置に備えられる背景部の構成例を示す図である。
【図８】本発明の実施形態に係る写真シール作成装置に備えられる編集部の構成例を示す図である。
【図９】本発明の実施形態に係る写真シール作成装置に備えられる事後接客部の構成例を示す図である。
【図１０】本発明の実施形態に係る写真シール作成装置の内部の構成例を示すブロック図である。
【図１１】本発明の実施形態に係る会員データベースの例を示す図である。
【図１２】本発明の実施形態に係る画像保存判定データベースの例を示す図である。
【図１３】本発明の実施形態に係る処理を示すフローチャートである。
【図１４】タッチパネルに表示される画面の一例を示す図である。
【図１５】タッチパネルに表示される画面の一例を示す図である。
【図１６】タッチパネルに表示される画面の一例を示す図である。
【図１７】タッチパネルに表示される画面の一例を示す図である。
【図１８】テンキー配列のボタンの一例を示す図である。
【発明を実施するための形態】
【００１９】
〔実施形態〕
本発明の実施形態について、図１〜図１７を参照して以下に説明する。以下の特定の実施形態で説明する構成以外の構成については、必要に応じて説明を省略する場合があるが、他の実施形態で説明されている場合は、その構成と同じである。また、説明の便宜上、各実施形態に示した部材と同一の機能を有する部材については、同一の符号を付し、適宜その説明を省略する。さらに、各図面に記載した構成の形状、ならびに、長さ、大きさおよび幅などの寸法は、実際の形状および寸法を反映させたものではなく、図面の明瞭化と簡略化のために適宜変更している。
【００２０】
（撮影画像管理システム１０）
図２は、本発明の実施形態に係る撮影画像管理システム１０の構成を示す図である。図２に示すように、撮影画像管理システム１０は、写真シール作成装置１、携帯端末（端末装置）６、および管理サーバ４を備えている。ここで、写真シール作成装置１および携帯端末６は、タッチパネルを備えた表示装置の一例である。また、写真シール作成装置１は、ユーザ等の写真を撮影して編集するサービスを提供する写真作成編集装置の一例である。
【００２１】
撮影画像管理システム１０の概要について、以下に説明する。撮影画像管理システム１０は、ユーザの写真撮影、画像の編集、画像の写真シールとしての印刷、および画像提供サイトへの画像の保存を実現するサービス（画像管理サービス）をユーザに提供する。写真撮影、画像編集、および写真シール印刷のサービスは、ゲームセンターなどの店舗に設置された写真シール作成装置１によって提供される。画像保存のサービスは、画像提供サイトを管理する管理サーバ４によって提供される。ユーザは、自身が所持する携帯端末６を操作することによって、自身の撮影画像を画像提供サイトに保存することができる。
【００２２】
画像提供サイトへの画像の保存には、事前の会員登録が必要である。ユーザは、無料会員として自身を画像提供サイトに登録する。無料会員は、会費を支払う必要がないが、画像提供サイトは保存できる画像の枚数に制限を受ける。本実施形態では、無料会員は、一回のゲームごとに一枚の画像のみを画像提供サイトに保存できる。
【００２３】
ユーザは、自身の会員属性を、無料会員から有料会員に変更することができる。有料会員は、一定の会費を継続的に支払う必要がある代わりに、画像提供サイトに無制限に画像を保存できる。本実施形態では、一回の写真撮影によって生成された撮影画像を全て画像提供サイトに保存できる。
【００２４】
撮影画像管理システム１０における写真撮影から画像保存までの流れについて、以下に簡潔に説明する。一人または複数人のユーザは、代金を写真シール作成装置１に支払い、写真撮影および画像編集に関するゲームをプレイする。ユーザはゲーム中に自身を被写体として撮影する。ユーザは、撮影によって生成された画像の中から、編集対象の画像をいくつか選択し、好きなように編集する。また、ユーザは、後で画像を画像提供サイトに保存するために、写真シール作成装置１に自身のメールアドレスを入力する。
【００２５】
ゲームの終了後、ユーザは写真シールを手に入れる。一方、写真シール作成装置１は、生成した画像に、入力されたユーザのメールアドレスを関連付けて、管理サーバ４に送信する。管理サーバ４は、受信したメールアドレス宛に、受信した画像を画像提供サイトに保存することを案内するメールを送信する。ユーザは、自身の携帯端末６においてこのメールを受信する。メールには、画像を画像提供サイトに保存するための手順が、記載されている。ユーザは、その手順に従い、画像を保存するための操作を携帯端末６に対して行う。この結果、画像提供サイトにおけるユーザ専用の画像記憶領域に、画像が保存される。
【００２６】
画像提供サイトへの画像保存後、ユーザは、携帯端末６または所望の他の装置を用いて画像提供サイトにログインして、画像をダウンロードすることができる。
【００２７】
（写真シール作成装置１の構成）
撮影画像管理システム１０を構成する各装置の構成および機能について、以下に詳細に説明する。まず、写真シール作成装置１の詳細について、図３〜図１２を参照して説明する。図３は、本発明の実施形態に係る写真シール作成装置１の外観の構成例を示す斜視図である。この図に示すように、写真シール作成装置１は、主に、撮影ユニット１１、編集部１２、および事後接客部１３を備えている。写真シール作成装置１は、撮影ユニット１１と編集部１２とが接し、かつ、編集部１２と事後接客部１３とが接した状態で設置される。
【００２８】
（撮影ユニット１１）
撮影ユニット１１は、撮影部２１および背景部２２を備えている。撮影部２１と背景部２２とは、所定の距離だけ離れて設置される。撮影部２１と背景部２２の間に形成される空間である撮影空間において、撮影制御が行われる。
【００２９】
撮影部２１は、撮影制御をユーザに行わせる装置である。撮影部２１は、撮影空間に入り、撮影制御を行っているユーザの正面に位置する。撮影空間を正面に望む面を構成する撮影部２１の正面パネル４１には、撮影制御時にユーザによって用いられるタッチパネルモニタなどが設けられる。撮影空間にいるユーザから見て左側の面を左側面、右側の面を右側面とすると、撮影部２１の左側面が側面パネル４２Ａによって構成され、右側面が側面パネル４２Ｂによって構成される。
【００３０】
背景部２２は、正面を向いて撮影制御を行っているユーザの背面側に位置する板状の部材である背面パネル５１、背面パネル５１の左端に取り付けられ、側面パネル４２Ａより横幅の狭い板状の部材である側面パネル５２Ａ、および、背面パネル５１の右端に取り付けられ、側面パネル４２Ｂより横幅の狭い板状の部材である側面パネル５２Ｂ（図４）から構成される。
【００３１】
撮影部２１の左側面を構成する側面パネル４２Ａと背景部２２の側面パネル５２Ａは、ほぼ同一平面に設けられ、それぞれの上部が板状の部材である連結部２３Ａによって連結される。また、撮影部２１の右側面を構成する側面パネル４２Ｂと背景部２２の側面パネル５２Ｂは、ほぼ同一平面に設けられ、それぞれの上部が板状の部材である連結部２３Ｂによって連結される。
【００３２】
撮影部２１の側面パネル４２Ａ、連結部２３Ａ、および背景部２２の側面パネル５２Ａに囲まれることによって形成される開口が撮影空間の出入り口Ｇ１となる。撮影部２１の側面パネル４２Ｂ、連結部２３Ｂ、および背景部２２の側面パネル５２Ｂに囲まれることによって形成される開口も撮影空間の出入り口Ｇ２となる。
【００３３】
背景部２２の上部には、背面パネル５１、側面パネル５２Ａ、および側面パネル５２Ｂに支持される形で背景カーテンユニット２５が設けられる。背景カーテンユニット２５には、色または柄の異なる、背景に利用する巻き取り式の背景カーテンが複数収納される。背景カーテンユニット２５は、撮影部２１に設けられたカメラ等による撮影と連動して動作し、撮影の際に、例えばユーザによって選択された色のカーテンを下ろし、その他のカーテンを巻き取る。
【００３４】
背景カーテンユニット２５に収納される背景カーテンとしては、複数枚のカーテンを１枚のクロマキ用のカーテンとして使用する昇降式カーテンを用意してもよい。また、クロマキ用のカーテンを予め撮影空間の背面となる背面パネル５１に張り付けると共に、合成用の背景画像を複数種類用意し、後述する編集制御において、ユーザが所望する背景画像をカーテンの部分に合成することができるようにしてもよい。
【００３５】
撮影空間の上方には、撮影部２１の正面パネル４１、連結部２３Ａ、連結部２３Ｂ、および背景カーテンユニット２５に囲まれる開口が形成され、その開口の一部を覆うように天井ストロボユニット２４が設けられる。天井ストロボユニット２４の一端が連結部２３Ａに固定され、他端が連結部２３Ｂに固定される。天井ストロボユニット２４は、撮影に合わせて撮影空間内に向けて発光するストロボを内蔵する。天井ストロボユニット２４を構成するストロボの内部には蛍光灯が設けられており、撮影空間の照明としても機能する。
【００３６】
（編集部１２）
編集部１２は、撮影制御によって得られた画像を編集する処理である編集制御をユーザに行わせる装置である。編集部１２は、一方の側面が撮影部２１の正面パネル４１の背面に接するように撮影ユニット１１に連結して設けられる。編集部１２には、編集制御時にユーザによって用いられるタブレット内蔵モニタ（タッチパネル）などの構成が設けられる。なお、以下の説明においては、編集部１２および事後接客部１３が備えるタブレット内蔵モニタのことを、単にタッチパネルと呼称することもある。また、タッチパネルに対しては、ユーザが指で画面をタッチすることによって、又は図示しないペン状のデバイスを用いることによって入力操作が可能であってもよい。
【００３７】
図３に示す編集部１２の構成を正面側の構成とすると、２組のユーザが同時に編集することができるように、編集部１２の正面側と背面側には編集制御に用いられる構成がそれぞれ設けられる。
【００３８】
編集部１２の正面側は、床面に対して垂直な面であり、側面パネル４２Ａとほぼ平行な面である面７１と、面７１の上方に形成された斜面７２から構成され、編集制御に用いられる構成が斜面７２に設けられる。斜面７２の左側には、柱状の形状を有し、照明装置７４の一端を支持する支持部７３Ａが設けられる。支持部７３Ａの上面にはカーテンレール２６を支持する支持部７５が設けられる。斜面７２の右側にも、照明装置７４の他端を支持する支持部７３Ｂ（図４）が設けられる。
【００３９】
編集部１２の上方にはカーテンレール２６が取り付けられる。カーテンレール２６は、上から見たときの形状がコの字状となるように３本のレール２６Ａ乃至２６Ｃを組み合わせて構成される。平行に設けられるレール２６Ａと２６Ｂの一端は、連結部２３Ａと連結部２３Ｂにそれぞれ固定され、他端に残りの一本のレール２６Ｃの両端が接合される。
【００４０】
カーテンレール２６には、編集部１２の正面前方の空間と背面前方の空間の内部が外から見えないようにカーテンが取り付けられる。カーテンレール２６に取り付けられたカーテンによって囲まれる編集部１２の正面前方の空間と背面前方の空間が、ユーザが編集制御を行う編集空間となる。
【００４１】
（事後接客部１３）
図４は、写真シール作成装置１の外観を他の角度からみた斜視図である。事後接客部１３は事後接客を行い、ユーザに事後接客に対する操作を行わせる装置である。事後接客には、画像（編集済みの画像を含む）を管理サーバ４に送信する処理、ミニゲームをユーザに行わせる処理、アンケートに答えさせる処理などが含まれる。
【００４２】
図４に示すように、事後接客部１３は、所定の厚さを有する板状の筐体を有しており、その背面が編集部１２の左側面に接するように編集部１２に連結して設けられる。事後接客部１３の正面には、事後接客に対する操作時にユーザによって用いられるタブレット内蔵モニタ（タッチパネル）、および、画像（編集済みの画像を含む）が印刷されたシール紙が排出される排出口などが設けられる。事後接客部１３の正面前方の空間が、シール紙への印刷が終わるのを待っているユーザが事後接客に対する操作を行う事後接客空間となる。また、ユーザは、事後接客部１３が備えるタッチパネル１６１を介して、自身のメールアドレスを入力する。なお、本実施形態では、メールアドレスの入力は、事後接客部１３が備えるタッチパネル１６１を介して行われるものとして説明するが、これに限定されず、例えば編集部１２が備えるタッチパネル１３１を介して行われる構成でもよい。なお、写真シール作成装置１がユーザによるメールアドレスの入力を受け付けるタイミングは、ユーザによる画像の編集が行われた後に限定されず、写真撮影または画像の編集が行われるよりも前であってもよい。
【００４３】
（ユーザの移動）
写真シール作成ゲームの流れと、それに伴うユーザの移動について図５を参照して説明する。図５は、ユーザの移動について説明する図である。
【００４４】
写真シール作成装置１のユーザは、白抜き矢印＃１で示すように出入り口Ｇ１から、または白抜き矢印＃２で示すように出入り口Ｇ２から、撮影部２１と背景部２２の間に形成された撮影空間Ａ１に入り、撮影部２１に設けられたカメラおよびタッチパネルモニタなどを利用して撮影制御を行う。
【００４５】
なお、ユーザの画像の撮影においては、すべての撮影がシール紙に印刷される画像を撮影するものとは限らず、携帯端末６に送信するため（または、携帯端末６において閲覧可能なように、管理サーバ４に送信するため）にのみ撮影される場合もある。これは、印刷される画像と携帯端末６に送信される画像との間でユーザの嗜好が異なることがあるためであり、ユーザの撮影時において、携帯端末６への送信を意識した撮影をしたいユーザの意向にこたえるものである。
【００４６】
撮影制御を終えたユーザは、白抜き矢印＃３で示すように出入り口Ｇ１を使って撮影空間Ａ１から出て編集空間Ａ２−１に移動するか、白抜き矢印＃４で示すように出入り口Ｇ２を使って撮影空間Ａ１から出て編集空間Ａ２−２に移動する。
【００４７】
編集空間Ａ２−１は、編集部１２の正面側の編集空間であり、編集空間Ａ２−２は、編集部１２の背面側の編集空間である。編集空間Ａ２−１と編集空間Ａ２−２のいずれの空間に移動するのかが、撮影部２１のタッチパネルモニタの画面表示などによって案内される。例えば２つの編集空間のうちの空いている方の空間が移動先として案内される。編集空間Ａ２−１または編集空間Ａ２−２に移動したユーザは編集制御を開始する。編集空間Ａ２−１のユーザと、編集空間Ａ２−２のユーザは同時に編集制御を行うことができる。
【００４８】
編集制御が終了した後、画像（編集済みの画像を含む）の中から選択された画像の印刷が開始される。画像の印刷中、編集制御を終えたユーザは、編集空間Ａ２−１で編集制御を行っていた場合には白抜き矢印＃５で示すように編集空間Ａ２−１から事後接客空間Ａ３に移動して事後接客を受け、当該事後接客に対する操作を行う。また、編集制御を終えたユーザは、編集空間Ａ２−２で編集制御を行っていた場合には白抜き矢印＃６で示すように編集空間Ａ２−２から事後接客空間Ａ３に移動し、事後接客空間Ａ３において事後接客を受け、当該事後接客に対する操作を行う。
【００４９】
画像の印刷が終了したとき、ユーザは、事後接客部１３に設けられた排出口からシール紙を受け取り、一連の写真シール作成ゲームを終えることになる。
【００５０】
（各部材の構成）
次に、写真シール作成装置１に備えられる各部材の構成について説明する。
【００５１】
（撮影部２１）
図６は、写真シール作成装置１に備えられる撮影部２１の構成例を示す図である。撮影部２１は、正面パネル４１、側面パネル４２Ａ、および側面パネル４２Ｂが、箱状の形状を有するベース部４３に取り付けられることによって構成される。
【００５２】
正面パネル４１は撮影空間Ａ１で撮影制御を行うユーザの正面に位置し、側面パネル４２Ａと側面パネル４２Ｂは、それぞれ、撮影空間Ａ１で撮影制御を行うユーザの左側、右側に位置する。側面パネル４２Ａの上方には連結部２３Ａが固定され、側面パネル４２Ｂの上方には連結部２３Ｂが固定される。
【００５３】
正面パネル４１のほぼ中央には撮影・表示ユニット８１が設けられる。撮影・表示ユニット８１は、カメラ９１、正面ストロボ９２、およびタッチパネルモニタ９３から構成される。
【００５４】
カメラ９１は、ＣＣＤ（Charge Coupled Device）またはＣＭＯＳ（Complementary metal-oxide semiconductor）などの撮像素子によって構成され、撮影空間Ａ１にいるユーザを撮影する。カメラ９１によって取り込まれた動画像は、タッチパネルモニタ９３にリアルタイムで表示される。ユーザによって撮影が指示されたときなどの所定のタイミングでカメラ９１によって取り込まれた画像は画像（静止画像）として保存される。
【００５５】
カメラ９１の下側に設けられたタッチパネルモニタ９３は、ＬＣＤ（Liquid Crystal Display）などのモニタと、それに積層されたタッチパネルによって構成される。タッチパネルモニタ９３は、カメラ９１によって取り込まれた動画像を表示するライブビューモニタとしての機能と、各種のＧＵＩ（Graphical User Interface）画像を表示し、ユーザの選択操作をタッチパネルによって受け付ける機能とを備えている。タッチパネルモニタ９３には、適宜、背景等の画像が合成された後の動画像が表示される。
【００５６】
正面パネル４１には、撮影・表示ユニット８１の位置を基準として、上方に上ストロボ８２が設置される。また、左方に左ストロボ８３が設置され、右方に右ストロボ８４が設置される。撮影・表示ユニット８１の下方の位置には、ベース部４３の上面が一部突出する形で下ストロボ８５が設けられる。
【００５７】
上ストロボ８２は、ユーザを上前方から照射する。左ストロボ８３は、ユーザを左前方から照射し、右ストロボ８４は、ユーザを右前方から照射する。下ストロボ８５は、ユーザを下前方から照射する。
【００５８】
ベース部４３にはユーザの足元を照射する足元ストロボ８６も設けられる。上ストロボ８２、左ストロボ８３、右ストロボ８４、下ストロボ８５、および足元ストロボ８６の内部には蛍光灯が設けられており、天井ストロボユニット２４を構成するストロボの内部の蛍光灯と合わせて、撮影空間Ａ１内の照明として用いられる。後述するように、各蛍光灯の発光量を調整することによって、または、発光させる蛍光灯の数を調整することによって、撮影空間Ａ１内の明るさが、ユーザが行っている撮影制御の内容に応じて適宜調整される。
【００５９】
足元ストロボ８６の右側には、ユーザがお金を投入する硬貨投入返却口８７が設けられる。
【００６０】
下ストロボ８５を挟んでベース部４３の上面の左右に形成されるスペース４３Ａおよび４３Ｂは、撮影制御を行うユーザが手荷物等を置くための荷物置場として用いられる。正面パネル４１の例えば天井付近には、撮影制御の案内音声、ＢＧＭ（Back Ground Music）、効果音等の音を出力するスピーカも設けられる。
【００６１】
（背景部２２）
図７は、写真シール作成装置１に備えられる背景部２２の構成例を示す図である。上述したように、背面パネル５１の上方には背景カーテンユニット２５が設けられる。背景カーテンユニット２５のほぼ中央には、撮影空間Ａ１内で撮影制御を行っているユーザを後方中央から照射する背面中央ストロボ１０１が取り付けられる。
【００６２】
背面パネル５１の上方であって、出入り口Ｇ１側の位置には、撮影空間Ａ１内で撮影制御を行っているユーザを左後方から照射する背面左ストロボ１０２が取り付けられる。また、背面パネル５１の上方であって、出入り口Ｇ２側の位置には、撮影空間Ａ１内で撮影制御を行っているユーザを右後方から照射する背面右ストロボ１０３が取り付けられる。
【００６３】
（編集部１２）
図８は、写真シール作成装置１に備えられる編集部１２の構成例を示す図である。この図に示すように、編集部１２において、斜面７２のほぼ中央には、タブレット内蔵モニタ１３１が設けられる。タブレット内蔵モニタ１３１を挟んで左側にタッチペン１３２Ａが設けられ、右側にタッチペン１３２Ｂが設けられる。
【００６４】
タブレット内蔵モニタ１３１は、タッチペン１３２Ａおよび１３２Ｂを用いて操作入力が可能なタブレットがＬＣＤなどのモニタに重畳して設けられることによって構成される。タブレット内蔵モニタ１３１には、例えば、編集対象画像として選択された画像の編集に用いられる画面である編集画面が表示される。２人で同時に編集作業を行う場合、タッチペン１３２Ａは一方のユーザによって用いられ、タッチペン１３２Ｂは他方のユーザによって用いられる。
【００６５】
なお、編集部１２において行われる画像の編集は、すべてが印刷される画像に対する編集であるとは限らず、ユーザが携帯端末６への送信のみを想定している画像（つまり、印刷されない画像）に対する編集である場合もある。これは、印刷される画像と携帯端末６へ送信されてｗｅｂ上で利用される画像との間で、ユーザの嗜好に違いがあり、例えばブログなどに利用する画像などに対して、印刷される画像に対する編集とは異なる編集をしたいというユーザの意向にこたえるためのものである。
【００６６】
（事後接客部１３）
編集部１２の左側には事後接客部１３が設けられる。図９は、写真シール作成装置１に備えられる事後接客部１３の構成例を示す図である。
【００６７】
事後接客部１３の上方中央にはタブレット内蔵モニタ１６１が設けられる。タブレット内蔵モニタ１６１を挟んで左側にタッチペン１６２Ａが設けられ、右側にタッチペン１６２Ｂが設けられる。タブレット内蔵モニタ１６１もタブレット内蔵モニタ１３１と同様に、タッチペン１６２Ａまたは１６２Ｂを用いて操作入力が可能なタブレットがＬＣＤなどのモニタに重畳して設けられることによって構成される。タブレット内蔵モニタ１６１には、ミニゲームなどの事後接客の工程において用いられる画面が表示される。
【００６８】
タブレット内蔵モニタ１６１の下には非接触型ＩＣリーダ／ライタ１６３が設けられ、非接触型ＩＣリーダ／ライタ１６３の下にはシール紙排出口１６４が設けられる。シール紙排出口１６４の下にはスピーカ１６５が設けられる。
【００６９】
非接触型ＩＣリーダ／ライタ１６３は、近接された非接触型ＩＣと通信を行い、非接触型ＩＣからのデータの読み出しおよび非接触型ＩＣに対するデータの書き込みを行う。
【００７０】
シール紙排出口１６４には、編集空間Ａ２−１のユーザが編集制御を行うことによって作成した画像が印刷されたシール紙、または、編集空間Ａ２−２のユーザが編集制御を行うことによって作成した画像が印刷されたシール紙が排出される。編集部１２の内部にはプリンタが設けられており、画像の印刷がそのプリンタによって行われる。
【００７１】
スピーカ１６５は、事後接客時の案内音声、ＢＧＭ、効果音等の音を出力する。
【００７２】
（写真シール作成装置１の内部構成）
次に、写真シール作成装置１の内部構成について説明する。図１０は、写真シール作成装置１の内部の構成例を示すブロック図である。上述した構成と同じ構成には同じ符号を付す。重複する説明については適宜省略する。
【００７３】
制御部２０１は、ＣＰＵ（Central Processing Unit）などから構成され、ＲＯＭ（Read Only Memory）２０６または記憶部２０２に記憶されているプログラムを実行し、写真シール作成装置１の全体の動作を制御する。
【００７４】
また、制御部２０１は、表示制御部２３１、入力受付部２３２および指示受付部２３３としても機能する。表示制御部２３１は、写真シール作成装置１が備える各ディスプレイ、即ち、タッチパネルモニタ９３、並びに編集部１２および事後接客部１３が備えるタッチパネルによる画面表示に係る制御を行う。
【００７５】
入力受付部２３２は、各タッチパネルを介した入力操作を受け付ける。例えば、入力受付部２３２は、各タッチパネルに表示されたＵＩオブジェクトを介して文字列の入力操作を受け付ける。また、ＵＩオブジェクトの具体例については、後述する。
【００７６】
指示受付部２３３は、ＵＩオブジェクトのキー配列を切り替える入力操作を受け付ける。ここで、上記入力操作には、文字種を変更してＵＩオブジェクトのキー配列を切り替えるものに限定されず、文字種を変更せずにＵＩオブジェクトのキー配列を切り替えるものも含まれる。また、文字種とは、例えば、アルファベット、ひらがな、カタカナ、及び漢字など、各言語からなる文字列を構成する文字の集合である。また、数字の集合および「＋」「＠」等の記号の集合も、上述した文字種に含まれる。
【００７７】
また、制御部２０１には、記憶部２０２、通信部２０３、ドライブ２０４、ＲＯＭ２０６、ＲＡＭ（Random Access Memory）２０７が接続される。制御部２０１には、撮影部２１、編集部１２、事後接客部１３、および印刷部２１１の各構成も接続される。
【００７８】
記憶部２０２は、ハードディスクまたはフラッシュメモリなどの不揮発性の記憶媒体からなり、制御部２０１から供給された各種の設定情報を記憶する。記憶部２０２に記憶されている情報は制御部２０１によって適宜読み出される。
【００７９】
通信部２０３はインターネットなどのネットワークのインタフェースであり、制御部２０１による制御に従って外部の装置と通信を行う。
【００８０】
ドライブ２０４には、光ディスクまたは半導体メモリなどよりなるリムーバブルメディア２０５が適宜装着される。ドライブ２０４によってリムーバブルメディア２０５から読み出されたコンピュータプログラムおよびデータは、制御部２０１に供給され、記憶部２０２に記憶されたり、インストールされたりする。
【００８１】
ＲＯＭ２０６には、制御部２０１において実行されるプログラムおよびデータが記憶されている。ＲＡＭ２０７は、制御部２０１が処理するデータおよびプログラムを一時的に記憶する。
【００８２】
撮影部２１は、撮影空間Ａ１におけるユーザの撮影制御に関する処理を行う。撮影部２１は、硬貨処理部２２１、背景制御部２２２、照明制御部２２３、カメラ９１、タッチパネルモニタ９３、およびスピーカ２２４から構成される。
【００８３】
硬貨処理部２２１は、硬貨投入返却口８７に対する硬貨の投入を検出する。硬貨処理部２２１は、例えば３００円などの所定の金額分の硬貨が投入されたことを検出した場合、そのことを表す起動信号を制御部２０１に出力する。
【００８４】
背景制御部２２２は、制御部２０１より供給される背景制御信号に従って背景カーテンユニット２５に収納されている背景カーテンの上げ下ろしを行う。背景カーテンの選択がユーザによって手動で行われるようにしてもよい。
【００８５】
照明制御部２２３は、制御部２０１より供給される照明制御信号に従って、撮影空間Ａ１内の各ストロボの発光を制御する。上述したように、撮影空間Ａ１には、天井ストロボユニット２４のストロボの他に、撮影部２１に設けられる上ストロボ８２、左ストロボ８３、右ストロボ８４、下ストロボ８５、足元ストロボ８６と、背景部２２に設けられる背面中央ストロボ１０１、背面左ストロボ１０２、背面右ストロボ１０３が設けられる。各ストロボの内部には蛍光灯も設けられる。
【００８６】
また、照明制御部２２３は、各ストロボの内部に設けられる蛍光灯の発光量を調整することによって、または、発光させる蛍光灯の数を調整することによって、ユーザが行っている撮影制御の段階に応じて撮影空間Ａ１内の明るさを調整する。
【００８７】
カメラ９１は、制御部２０１による制御に従って撮影を行い、撮影によって得られた画像（画像）を制御部２０１に出力する。また、カメラ９１は、後述するユーザ認証を行う場合、ユーザの身体の一部、ユーザの姿勢（ポーズ）、または、ユーザの動き（ジェスチャー）を静止画または動画として撮影することにより、画像認証に係る情報（画像認証情報）を生成するための画像（認証用画像）を撮影し、制御部２０１に送信しても良い。
【００８８】
編集部１２Ａは、編集空間Ａ２−１におけるユーザの編集制御に関する処理を行う。編集部１２Ａは、編集部１２の正面側に設けられるタブレット内蔵モニタ１３１、タッチペン１３２Ａ、１３２Ｂ、およびスピーカ２３１から構成される。編集部１２Ｂも編集部１２Ａと同一の構成を有しており、編集空間Ａ２−２におけるユーザの編集制御に関する処理を行う。
【００８９】
タブレット内蔵モニタ１３１は、制御部２０１による制御に従って編集画面を表示し、編集画面に対するユーザの操作を検出する。ユーザの操作の内容を表す信号は制御部２０１に供給され、編集対象の画像の編集が行われる。
【００９０】
事後接客部１３は、事後接客空間Ａ３における事後接客に関する処理を行う。事後接客部１３は、タブレット内蔵モニタ１６１、タッチペン１６２Ａ、１６２Ｂ、非接触型ＩＣリーダ／ライタ１６３、およびスピーカ１６５から構成される。
【００９１】
印刷部２１１は、印刷制御を行う構成であるプリンタ２４１、およびシール紙ユニット２４２から構成される。プリンタ２４１は、画像、またはユーザによる編集制御によって得られた編集済みの画像を、プリンタ２４１に装着されたシール紙ユニット２４２に収納されているシール紙に印刷し、シール紙排出口１６４に排出する。一点鎖線で囲んで示す事後接客部１３と印刷部２１１が、事後接客空間Ａ３にいるユーザを相手とした事後接客に関する処理を行う構成となる。
【００９２】
また、印刷部２１１は、印刷制御に係る処理において、シール紙への撮影画像（または編集画像）の印刷に加え、欄外（シール紙の端部など）に、管理サーバ４へ送信した画像を取得するためのＵＲＬ（Uniform Resource Locater）、および、シールＩＤ（画像取得用ＩＤ）などを印刷してもよい。シールＩＤとは、写真シール作成装置１において１ゲーム中に生成された１または複数の画像（撮影画像および編集画像を含む）を一義的に特定するための識別子であり、ユーザが１ゲーム中に生成された画像を取得するための識別子である。ユーザは、画像を取得するためのＵＲＬにアクセスし、シールＩＤを入力することにより、写真シール作成装置１において１ゲーム中に生成された画像を取得するためのウェブページ（画像取得用ページ）を携帯端末６に表示させることができる。
【００９３】
これは、例えば、事後接客部１３などにおいてユーザからメールアドレスの入力を受け付ける際に、タイムアウトやミス入力により正しいアドレスを受け付けることができず、画像を取得するためのＵＲＬなどの情報をユーザに送信することができないなど場合に、シール紙に印刷されているＵＲＬにアクセスしてシールＩＤを入力することによりユーザが画像を取得することができるようにするためである。
【００９４】
なお、印刷部２１１は、画像を取得するための情報として、ＵＲＬではなく、例えば、所定のメールアドレスまたはＱＲコード（登録商標）などを印刷してもよい。所定のメールアドレスが印刷されている場合には、ユーザは、当該所定のメールアドレスに空メールを送信することにより、画像を取得するためのＵＲＬが記載されたメールを管理サーバ４から受信することができる。また、シール紙にＱＲコードが印刷されている場合には、ユーザは、携帯端末６を用いてＱＲコードの示すウェブページへアクセスすることにより、画像取得用ページへ直接アクセスすることもできる。
【００９５】
（管理サーバ４）
次に、管理サーバ４の詳細について、図１を参照して説明する。図１は、本発明の実施形態１に係る管理サーバ４の要部構成を示すブロック図である。この図に示すように、管理サーバ４は、主に、制御部４０１、記憶部４０２、および通信部４０３を備えている。制御部４０１は、管理サーバ４に備えられる各部材を統括制御する。記憶部４０２は、管理サーバ４において使用される各種データを記憶する。通信部４０３は、撮影画像管理システム１０を構成する他の装置と通信する。
【００９６】
なお、管理サーバ４は、記憶部４０２の会員データベース４２２に格納された会員情報を写真シール作成装置１に定期的に送信してもよい。なお、写真シール作成装置１が、会員情報を定期的にダウンロードしてもよい。この場合、管理サーバ４と写真シール作成装置１とは、通信負荷が比較的少ない午前中や夜間に通信を行い、会員情報を送受信することが望ましい。
【００９７】
（制御部４０１の詳細）
図１に示すように、制御部４０１は、通信制御部４１１、メール作成部４１２、ウェブページ作成部４１３、画像管理部（保存処理部）４１４、および認証部４１５を備えている。
【００９８】
（通信制御部４１１）
通信制御部４１１は、通信部４０３による通信を制御する。
【００９９】
（メール作成部４１２）
メール作成部４１２は、写真シール作成装置１で遊んだユーザのメールアドレス宛に送信されるメールを作成する。本実施形態では、メール作成部４１２は、メールデータベース４２１に格納されているデータを用いて、通信制御部４１１から入力されたメールアドレス宛に送信される、画像の保存を案内するメールを作成し、通信制御部４１１に出力する。
【０１００】
（ウェブページ作成部４１３）
ウェブページ作成部４１３は、携帯端末６、または、写真シール作成装置１（後述する各種モニタ）に表示されるウェブページを作成する。本実施形態では、ウェブページ作成部４１３は、ウェブページデータベース４２３に格納されているデータを用いて、携帯端末６または写真シール作成装置１から受信したアクセス要求に応じたウェブページを作成し、通信制御部４１１に出力する。詳細は後述するが、ウェブページ作成部４１３は、ユーザの会員種別に応じたウェブページを作成する。
【０１０１】
なお、以下において「ページ」は、例えば、ウェブページのように、管理サーバ４が携帯端末６等の通信端末または写真シール作成装置１に送信して表示するためのデータを意味する。上記ページには、通常、テキストデータおよび画像データが含まれており、さらに、音声データおよび動画データが含まれていてもよい。
【０１０２】
（画像管理部４１４）７
画像管理部４１４は、画像提供サイトを通じてユーザに提供される画像を管理する。本実施形態では、画像管理部４１４は、写真シール作成装置１によって作成された画像のうち、ユーザによって指定された画像を画像データベース４２４に保存する。
【０１０３】
（認証部４１５）
認証部４１５は、例えば、画像管理サービスへのログイン時に携帯端末６からユーザ認証の要求を受け付け、ユーザ認証を行うものである。認証部４１５は、携帯端末６から送信された画像データ（認証用撮影画像、ログイン画像）を用いて、予め登録されている会員であるか否かを判定し、画像提供サイトへのアクセス（画像管理サービスへのログイン）、およびユーザのマイページへの未保存画像の保存を行うものであり、画像データ取得部４１５１、特徴量抽出部４１５２、および照合部４１５３を含む。なお、本実施形態では、ログイン画像および個人識別用データとしてユーザの顔画像を想定しているが、これに限られるものではない。後述するように、ユーザの顔画像以外をログイン画像および個人識別用データとしてもよい。
【０１０４】
画像データ取得部４１５１は、通信部４０３を介して携帯端末６から、携帯端末６にて撮影された認証用撮影画像の画像データを取得し、特徴量抽出部４１５２に送信する。
【０１０５】
特徴量抽出部４１５２は、画像データ取得部４１５１から送信された画像データの特徴量を抽出し、照合部４１５３に送信する。
【０１０６】
照合部４１５３は、特徴量抽出部４１５２から送信された画像データの特徴量と、会員データベース４２２に保存されている、ユーザの個人識別用データとを照合する。
照合の手法は、どのような技術を用いて行ってもよいが、例えば、顔の輪郭点が各々一致するか否か比較する、特定の器官の輪郭点（網膜等）が各々一致するかを比較する等が挙げられる。そして、比較の結果、信頼度が閾値以上である場合、送信された画像データの特徴量と、会員データベース４２２に保存されている、ユーザの個人識別用データとが合致すると判断する。そして、特徴量と個人識別用データとが合致する場合、照合部４１５３は、ユーザ認証が成功したと判断し、携帯端末６から画像提供サイトのユーザのマイページへのアクセスを許可（ログイン）するとともに、写真シール作成装置１にて撮影された撮影画像のうち、ユーザのマイページに保存されていない撮影画像を、ユーザのマイページへ保存する指示を画像管理部４１４に送信する。マイページとは、画像提供サイトにおけるユーザ毎の固有のページである。ユーザはマイページにアクセスすることにより、写真シール作成装置１で撮影し、保存した撮影画像を閲覧等することができる。
【０１０７】
一方、特徴量と個人識別用データとが合致しない場合、照合部４１５３は、ユーザ認証が失敗した旨を携帯端末６に通知する。
【０１０８】
なお、ユーザ認証が所定の回数、失敗した場合は、会員ＩＤおよびパスワードによる認証を求めてもよい。または、複数の種類の認証が可能である場合、他の認証方法に認証方法を切り替える操作を行って、当該他の認証方法による認証を求めてもよい。
【０１０９】
（記憶部４０２の詳細）
図１に示すように、記憶部４０２は、メールデータベース４２１、会員データベース４２２、ウェブページデータベース４２３、画像データベース４２４、および画像保存判定データベース４２５を含む。
【０１１０】
（メールデータベース４２１）
メールデータベース４２１は、ユーザに送信するメールを作成するための各種データを格納している。
【０１１１】
（会員データベース４２２）
会員データベース４２２は、画像提供サイトの会員であるユーザに関する各種情報（会員情報）を格納している。図１１に、会員データベース４２２の例を示す。図１１に示すように、本実施形態では、会員データベース４２２には、写真シール作成装置１を利用するユーザを識別する個人識別用データ（例えば顔情報）と、ユーザを特定する情報（ユーザ特定情報）が、ユーザ別に格納されている。ユーザ特定情報としては、例えば、ユーザの会員ＩＤ、メールアドレス、ニックネーム、パスワード、生年月日、住所、会員属性、入会日、および、ユーザが保有する携帯端末の端末ＩＤなどを挙げることができる。また、会員属性としては、例えば、有料会員および無料会員などを挙げることができる。
【０１１２】
（ウェブページデータベース４２３）
ウェブページデータベース４２３は、携帯端末６または写真シール作成装置１（後述する各種モニタ）に表示される画像提供サイトのウェブページを作成するための各種データを格納している。
【０１１３】
（画像データベース４２４）
画像データベース４２４は、写真シール作成装置１によって作成されたユーザの画像のうち、画像提供サイトに保存するようにユーザによって指示された画像を格納している。画像データベース４２４には、画像が、会員データベース４２２に会員として登録されているユーザごとに区別されて格納されている。
【０１１４】
図示はしないが、記憶部４０２は、写真シール作成装置１から受信した画像などのデータを一時的に保存する一時保存データベースも有している。
【０１１５】
（画像保存判定データベース４２５）
画像保存判定データベース４２５には、写真シール作成装置１によって撮影された撮影画像をユーザがマイページに保存したか否かが記録されている。図１２に画像保存判定データベース４２５の例を示す。図１２に示すように、画像保存判定データベース４２５には、会員ＩＤ、パスワード、メールアドレス、シールＩＤ、シール機で撮影した撮影日時、撮影画像データ、および画像保存の有無が記録されている。例えば、会員ＩＤ「００１」のユーザが撮影した画像データが、Ａ１、Ａ２、Ａ３と３枚あり、そのうちのＡ１をマイページに保存していた場合、図１２に示すように、「撮影画像データ」Ａ１に対応する「画像保存の有無」には保存されていることを示す情報（図１２では○で示す）が記録され、保存されていないＡ２およびＡ３に対応する「画像保存の有無」には保存されていないことを示す情報（図１２では×で示している）が記録される。なお、保存されていない場合は「NULL」と記録し、保存された場合は、当該「NULL」が削除されるものであってもよい。
【０１１６】
（通信部４０３の詳細）
本実施形態では、写真シール作成装置１および携帯端末６が、通信部４０３の通信相手である。通信部４０３は、通信制御部４１１の制御を受けることによって、他の装置からデータを受信したり、他の装置にデータを送信したりする。
【０１１７】
（携帯端末６）
図１に示すように、携帯端末６は、主に、制御部６０１、記憶部６０８、通信部６０９、および表示部６０７を備えている。制御部６０１は、携帯端末６に備えられる各部材を統括制御する。記憶部６０２は、携帯端末６において使用される各種データを記憶する。通信部６０９は、撮影画像管理システム１０を構成する他の装置と通信する。
【０１１８】
表示部６０７は、画面を表示し、ユーザが携帯端末６に情報を入力するためのタッチパネルとしても機能する。
【０１１９】
また、制御部６０１は、携帯端末６全体を統括し、通信制御部６１１および表示制御部６０２としても機能する。通信制御部６１１は、通信部６０３による通信を制御する。表示制御部６０２は、表示部６０７における情報表示を制御する。たとえば、通信制御部６１１から入力されたウェブページを、表示制御部６０２が表示部６０７に出力することによって、当該ウェブページを表示部６０７に表示させることができる。
【０１２０】
（キー配列の切り替え例１）
本例では、タッチパネルと、所定の文字種を示すＵＩオブジェクトを含む画面を、前記タッチパネルに表示させる表示制御部２３１と、ユーザを識別する文字列の入力操作を、前記ＵＩオブジェクトを介して受け付ける入力受付部２３２と、前記ＵＩオブジェクトが示す文字種を変更せずに、前記ＵＩオブジェクトのキー配列を切り替える入力操作を受け付ける指示受付部２３３とを備える表示装置における処理の一例について、ステップごとに説明する。上記の表示装置の構成によれば、ユーザが容易に文字列の入力操作を行うことができる表示装置を実現できる。
【０１２１】
以下、一例として、所定の文字種は、１又は複数の記号、数字および英語圏でのアルファベットであるものとして説明するが、これに限定されず、例えば所定の文字がキリル文字や、漢字などであってもよい。また、以下、ユーザを識別する文字列は、当該ユーザのメールアドレスであるものとして説明するが、これに限定されず、画像管理サービスに登録された、ユーザを一意に識別できる、アカウントＩＤ等を示す文字列であってもよい。また、ユーザを識別する文字列は、所定のソーシャルネットワーキングサービスにおける当該ユーザのアカウントＩＤ等を示す文字列であってもよい。
【０１２２】
また、以下、一例として、表示装置は、写真シール作成装置１であるものとして説明するが、これに限定されず、タッチパネルを備えるタブレット等であってもよい。
【０１２３】
概して言えば、以下においては上述したように、ユーザが、写真シール作成装置１の事後接客部１３が備えるタッチパネル１６１を介して自身のメールアドレスを入力する場合における、写真シール作成装置１が備える各部の処理を例に挙げて説明する。図１３は、本実施形態に係る処理の流れを示すフローチャートである。
【０１２４】
ステップＳ１０１において、表示制御部２３１は、アルファベット等を示すＵＩオブジェクトを含む画面を、タッチパネル１６１に表示させる。図１４は、当該画面の一例を示す図である。
【０１２５】
図１４に示す画面において、ボタン５０１等は、上述したＵＩオブジェクトの一例である。ボタン５０３は、アルファベットの大文字と小文字とを切り替えるためのボタンである。ボタン５０５は、入力された文字列を一文字消去するためのボタンである。ボタン５０７は、入力された文字列を全て消去するためのボタンである。ボタン５０９は、ボタン５０１が示す文字種を変更せずに、ボタン５０１のキー配列を変更するためのボタンである。また、ボタン５０９は、ボタン５０９ａまたはボタン５０９ｂの何れか一方が選択された状態をとる。図１４に示す画面においては、デフォルトのキー配列であるキーボード配列に対応するボタン５０９ａが選択されている。
【０１２６】
また、キー配列は、オブジェクト５１０に対する選択操作によって、ボタン５０１が示す文字種を変更せずに変更可能であってもよい。また、オブジェクト５１０は、図１４に示す画面内における任意の位置を起点として、ユーザが、左右にスワイプする操作を行った場合、ボタン５０１が示す文字種が変更されずに、ボタン５０１のキー配列が変更されることを示している。換言すれば、指示受付部２３３は、ボタン５０１を含む画面内における任意の位置を起点として、例えば左右にスワイプする入力操作を、キー配列を切り替える入力操作として受け付けてもよい。これにより、ユーザは、キー配列を切り替える操作を行う場合に、ボタン５０９に相当するボタンを必ずしも探す必要が無くなる。
【０１２７】
テキスト５１１は、メールアドレスの入力を、ユーザに促す文面である。また、テキスト５１１のカウントダウン表示に示すように、図１４に示す画面は、表示が開始されてから終了させるまでの時間が設定されている。また、当該時間の経過までにメールアドレスの入力が終了しなかった場合、メールアドレスの入力は失敗したものとして扱われる。これにより、ユーザに対して文字列の入力をより促すことができる。
【０１２８】
テキストエリア５１３には、メールアドレスの既に入力された部分が表示される。ボタン５１５は、メールアドレスの入力を終了するためのボタンである。
【０１２９】
ステップＳ１０２において、制御部２０１は、指示受付部２３３が、キー配列を切り替える入力操作、即ち、ボタン５０９ａ若しくはボタン５０９ｂ、若しくはボタン５１０に対する入力操作、又は画面をスワイプする入力操作を受け付けたか否かを判定する。制御部２０１が、指示受付部２３３が当該入力操作を受け付けたと判定した場合、続いてステップＳ１０３の処理が実行され、そうでない場合、続いてステップＳ１０４の処理が実行される。
【０１３０】
ステップＳ１０３において、表示制御部２３１は、ボタン５０１が示す文字種を変更せずに、ボタン５０１のキー配列を変更した画面をタッチパネル１６１に表示させる。図１５は、当該画面の一例を示す図である。図１５に例示する画面においては、ボタン５０９ｂが選択された状態となり、また、ボタン５０１がアルファベット順のキー配列となっている。
【０１３１】
ステップＳ１０４において、制御部２０１は、入力受付部２３２が、メールアドレスの少なくとも一部の入力操作を、ボタン５０１を介して受け付けたか否かを判定する。制御部２０１が、入力受付部２３２が当該入力操作を受け付けたと判定した場合、続いてステップＳ１０５の処理が実行され、入力受付部２３２が当該入力操作を受け付けていないと判定した場合、続いてステップＳ１０６の処理が実行される。
【０１３２】
ステップＳ１０５において、表示制御部２３１は、入力受付部２３２が受け付けた、メールアドレスの少なくとも一部の入力操作を、テキストエリア５１３に反映した画面をタッチパネル１６１に表示させる。
【０１３３】
ステップＳ１０６において、制御部２０１は、メールアドレスの入力操作の受け付けを終了する条件が満たされたか否かを判定する。ここで、当該条件は、ボタン５１５に対する選択が行われた場合、またはテキスト５１１に表示されたカウントダウン表示の数値が０となった場合に満たされるものであってもよい。ただし、制御部２０１は、ボタン５１５に対する選択が行われた場合であっても、例えば入力された文字列に「＠」が含まれていない等の理由によって、メールアドレスとしての要件が満たされていないと判定できる場合には、当該条件は満たされていないものとして扱ってもよい。
【０１３４】
制御部２０１が、当該条件が満たされたと判定した場合、制御部２０１が、入力されたメールアドレスをメールデータベース４２１に格納して、図１３のフローチャートに基づく処理が終了し、制御部２０１が、当該条件が満たされていないと判定した場合、続いてステップＳ１０２以降の処理が繰り返される。
【０１３５】
（キー配列の切り替え例２）
キー配列の切り替えに係る第２の例について、以下に説明する。なお、説明の便宜上、上記の例で説明した事項についての重複する説明を繰り返さない。また、以下の各例においても同様とする。本例では、写真シール作成装置１が、複数人のメールアドレスの入力を並行して受け付ける構成について説明する。
【０１３６】
本例において、表示制御部２３１は、図１４または図１５に相当する画面を、事後接客部１３が備えるタッチパネル１６１に複数並べて同時に表示させる。ただし、表示制御部２３１は、必ずしも画面に表示させる全てのオブジェクトを複数表示しなくともよい。例えば、図１４および図１５に示す例においては、表示されるテキスト５１１は１つであってもよい。また、入力受付部２３２は、複数のボタン５０１の一部または全部のそれぞれを介して、互いに異なる複数のユーザのメールアドレスの入力操作を受け付け、指示受付部２３３は、複数のボタン５０１の少なくとも何れかのキー配列を、他のボタン５０１のキー配列とは独立して切り替える入力操作を受け付ける。これにより、複数人のユーザが容易にメールアドレスの入力操作を並行して行うことができる写真シール作成装置１を実現できる。
【０１３７】
（キー配列の切り替え例３）
キー配列の切り替えに係る第３の例について、以下に説明する。本例に係る写真シール作成装置１は、タッチパネル１６１と、複数のボタン５０１であって、互いに異なるキー配列の複数のボタン５０１を含む画面を、タッチパネル１６１に表示させる表示制御部２３１と、ユーザのメールアドレスの入力操作を、複数のボタン５０１を介して受け付ける入力受付部２３２であって、複数のボタン５０１の何れから文字入力が行われても、一連の文字列として入力を受け付ける入力受付部２３２と、を備える構成である。
【０１３８】
図１６は、当該画面の一例を示す図である。図１６に示す例においては、ボタン５０１ａから入力操作が行われても、ボタン５０１ｂから入力操作が行われても、入力されたメールアドレスが同様にテキストエリア５１３に反映される。これにより、ユーザが容易にメールアドレスの入力操作を行うことができる。なお、表示制御部２３１は、必ずしもボタン５０１に含まれる全てのボタンを複数表示しなくともよい。例えば、表示制御部２３１は、ボタン５０３、ボタン５０５及びボタン５０７を画面に１つしか表示しなくともよい。
【０１３９】
本例の構成においても、複数のボタン５０１の少なくとも一部のキー配列が切り替え可能であってもよい。ただし、表示制御部２３１が、タッチパネル１６１に表示させる候補となる全てのキー配列に対応するボタン５０１を表示させる場合、制御部２０１は、指示受付部２３３として機能せずともよく、ステップＳ１０２およびステップＳ１０３の処理は行われずともよい。
【０１４０】
（識別コードの表示例１）
本例では、表示制御部２３１が、メールアドレスの入力画面に、後述する識別コードを表示させる構成について説明する。図１７は、本例に係る表示制御部２３１が図１３のフローチャートにおけるステップＳ１０１に相当する工程で、タッチパネル１６１に表示する画面の一例を示す図である。図１７に示す画面において、識別コード５１７は、画像提供サイトのＵＲＬが含まれるＱＲコード（登録商標）である。なお、識別コード５１７は、ＱＲコードに限定されず、例えば、ＱＲコードに準ずる２次元コード等であってもよい。また、以下の各例においても同様である。また、当該ＵＲＬは、図１７に示す画面を介してユーザがメールアドレスを入力した場合に、当該メールアドレス宛てに送信されるメールであって、写真シール作成装置１が生成した画像を画像提供サイトに保存することを案内するメールに記載されたＵＲＬと同一である。
【０１４１】
このように、本例に係る表示制御部２３１は、ボタン５０１を含む画面に、ボタン５０１と、画像提供サイト等の所定のサービスへのアクセスに使用されるＵＲＬを示す情報を含むＱＲコードとを共に表示させる構成である。これにより、ＱＲコードを介してユーザを当該サービスに誘導できる。なお、表示制御部２３１は、当該画面に、ユーザがＱＲコードを介したアクセスを行い、メールアドレスの入力を行わないことを指示するためのボタンを表示させてもよい。また、別の態様として、所定のサービスは、画像提供サイト等の画像管理サービスに係るものに限定されず、例えば、動画配信サービスや、通販に係るサービス等であってもよい。
【０１４２】
（識別コードの表示例２）
識別コードの表示例に係る第２の例について、以下に説明する。本例に係る表示制御部２３１は、入力受付部２３２がメールアドレスの入力操作を受け付けた後に表示させる画面、即ち図１３のフローチャートに基づく処理が終了した後に表示させる画面に、識別コード５１７を表示させる構成である。また、上述した画面とは、例えば、写真シール作成装置１が画像を写真シールとして印刷中であることを示す画面等である。本例の構成においても、識別コードを介してユーザを所定のサービスに誘導できる。
【０１４３】
（識別コードの表示例３）
識別コードの表示例に係る第３の例について、以下に説明する。本例に係る表示制御部２３１は、入力受付部２３２がメールアドレスの入力操作を受け付けることに失敗したと判定された場合に、識別コード５１７を画面に表示させる構成である。また、上述した画面とは、例えば、写真シール作成装置１が画像を写真シールとして印刷中であることを示す画面等である。
【０１４４】
ここで、入力受付部２３２がメールアドレスの入力操作を受け付けることに成功したか失敗したかの判定は、制御部２０１が行ってもよい。また、例えば、制御部２０１は、メールアドレスの入力画面の表示を終了するまでに、ユーザによるメールアドレスの入力が完了しなかった場合、又は、写真シール作成装置１が、入力されたメールアドレスに対してメールの送信が行えなかったことを示す情報を、管理サーバ４から受信した場合などに、入力受付部２３２がメールアドレスの入力操作を受け付けることに失敗したものと判定してもよい。本例の構成によれば、ユーザがメールアドレスの入力に失敗した場合においても、識別コードを介してユーザを所定のサービスに誘導できる。
【０１４５】
〔変形例〕
キー配列の切り替え例１〜３および識別コードの表示例１〜３において上述した構成は、ユーザがメールアドレス等のユーザを識別する文字列以外の文字列を入力する場合にも適用可能である。また、上記構成は、写真シール作成装置１が、必ずしも写真シールの作成を行わない写真作成編集装置である場合にも適用可能である。
【０１４６】
また、指示受付部２３３が、ボタン５０１のキー配列を切り替える入力操作として受け付けるスワイプ操作は、画面内における所定の位置を起点としたものに限定されてもよい。ここで、所定の位置とは、例えばボタン５０１が表示された領域であってもよい。
【０１４７】
また、表示制御部２３１が表示し得るボタン５０１のキー配列は、図１４に例示したキーボード配列、および図１５に例示したアルファベット順のキー配列に限定されない。例えば、表示制御部２３１は、ボタン５０１を、図１８（ａ）のようなテンキー配列によって表示してもよい。また、図１８（ａ）では、ボタン５０９ｃが選択されており、タッチパネル１６１に表示されるボタン５０１のキー配列として、テンキー配列が選択されていることを示している。また、図１８（ａ）に例示するテンキー配列のボタン５０１においては、同じボタンを複数回選択することによって所望の文字を入力するトグル入力方式、図１８（ｂ）に示すフリック入力、またはそれらの両方によって文字入力が可能であってもよい。また、例えば、テンキー配列のボタン５０１においては、図１８のようにアルファベット等と数字及び記号とが別々のキーに対応していてもよいし、同一のキーに対応していてもよい。
【０１４８】
また、表示制御部２３１は、Ｑｗｅｒｔｙ配列のキーボード配列以外にも、Ｄｖｏｒａｋ配列、Ｃｏｌｅｍａｋ配列、及びＭａｌｔｒｏｎ配列等のキーボード配列のボタン５０１をタッチパネル１６１に表示可能であってもよい。
【０１４９】
また、表示制御部２３１がタッチパネル１６１に表示するボタン５０１が、複数の文字種を示している場合、ボタン５０１のキー配列が互いに異なるとは、少なくとも一部の文字種についてキー配列が互いに異なることを意味していてもよい。即ち、複数のうちの一部の文字種に対応するキーについては、キー配列の切り替え後も同じ配列であってもよい。
【０１５０】
また、上述したようにタッチパネル１６１を介して入力可能な所定の文字種は、ひらがな、カタカナおよび漢字等であってもよい。また、表示制御部２３１は、例えば入力受付部２３２がひらがなの入力操作を受け付けるためのボタン５０１として、あいうえお順のキー配列、かな配列のキーボードのキー配列、親指シフトキーボードのキー配列、ポケットベルのように子音と母音とを指定することにより文字の入力操作を行うキー配列、及びステノキャプショナーが使用する字幕入力用キーボードのキー配列等の１又は複数のボタン５０１を、タッチパネル１６１に、切り替えて又は同時に表示可能であってもよい。
【０１５１】
また、画像管理サービス等の所定のサービスは、専用に作成されたアプリケーションであって、携帯端末６にインストールされたアプリケーションを介して利用されるものであってもよいし、例えば、汎用のブラウザを介して利用されるものであってもよい。また、所定のサービスを実現する管理サーバ４は、アプリケーションサーバとして機能してもよいし、ウェブサーバとして機能してもよい。また、画像提供サイトに対しては、任意のパソコン等からログインが可能であってもよい。
【０１５２】
〔ソフトウェアによる実現例〕
管理サーバ４および携帯端末６の制御ブロック（特に制御部４０１および制御部６０１）は、集積回路（ＩＣチップ）等に形成された論理回路（ハードウェア）によって実現してもよいし、ソフトウェアによって実現してもよい。
【０１５３】
後者の場合、管理サーバ４および携帯端末６は、各機能を実現するソフトウェアであるプログラムの命令を実行するコンピュータを備えている。このコンピュータは、例えば１つ以上のプロセッサを備えていると共に、上記プログラムを記憶したコンピュータ読み取り可能な記録媒体を備えている。そして、上記コンピュータにおいて、上記プロセッサが上記プログラムを上記記録媒体から読み取って実行することにより、本発明の目的が達成される。上記プロセッサとしては、例えばＣＰＵ（Central Processing Unit）を用いることができる。上記記録媒体としては、「一時的でない有形の媒体」、例えば、ＲＯＭ（Read Only Memory）等の他、テープ、ディスク、カード、半導体メモリ、プログラマブルな論理回路などを用いることができる。また、上記プログラムを展開するＲＡＭ（Random Access Memory）などをさらに備えていてもよい。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【０１５４】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【０１５５】
１  写真シール作成装置（写真作成編集装置、表示装置）
４  管理サーバ
６  携帯端末（端末装置）
１０  撮影画像管理システム
１３  事後接客部
１３１、１６１  タブレット内蔵モニタ（タッチパネル）
２０１  制御部
２３１  表示制御部
２３２  入力受付部
２３３  指示受付部
５０１  ボタン（ＵＩオブジェクト）
【図１】
2020123146.tif 000003
【図２】
2020123146.tif 000004
【図３】
2020123146.tif 000005
【図４】
2020123146.tif 000006
【図５】
2020123146.tif 000007
【図６】
2020123146.tif 000008
【図７】
2020123146.tif 000009
【図８】
2020123146.tif 000010
【図９】
2020123146.tif 000011
【図１０】
2020123146.tif 000012
【図１１】
2020123146.tif 000013
【図１２】
2020123146.tif 000014
【図１３】
2020123146.tif 000015
【図１４】
2020123146.tif 000016
【図１５】
2020123146.tif 000017
【図１６】
2020123146.tif 000018
【図１７】
2020123146.tif 000019
【図１８】
2020123146.tif 000020